(57)【要約】【課題】定着ヒータ１本あたりの電流値を安価な電流検出回路で正確に検出することにより、２本のヒータへの供給電力の位相制御を精度良く実現できる画像形成装置を提供する。【解決手段】トナー像を記録媒体上に転写し、トナー像を２つのヒータからなる電気加熱手段により加熱定着する画像形成装置である。そして、２つのヒータに供給する交流電力をそれぞれ通電／遮断する２つのトライアックと、前記２つのヒータに流れる電流を検出する電流検出回路とを備える。前記２つのトライアックのうち１つを通電、もう一方を遮断し、２つのヒータの１つだけを加熱し電流値を検出し、さらに２つのトライアックの通電／遮断を逆に切り換えることで、もう一方についても電流値を検出する。そして、得られた電流値に基づいて、２つのヒータに対するそれぞれの電力供給量を調整する位相制御を行う。【選択図】図６
2010113216.tif 000002
【特許請求の範囲】
【請求項１】
電子写真プロセス技術を用いて像担持体に形成したトナー像を記録媒体に転写し、記録媒体に転写されたトナー像を２つのヒータからなる電気加熱手段により加熱定着する画像形成装置において、
前記２つのヒータに供給する交流電力をそれぞれ通電／遮断する２つの電力供給手段と、
前記２つのヒータに流れる電流を検出する電流検出手段と、
前記２つの電力供給手段の通電／遮断を制御する電力制御手段とを有し、
前記電力制御手段は、
前記２つの電力供給手段のうちの一方を通電し他方を遮断して前記電流検出手段の検出結果を獲得した後、前記２つの電力供給手段の通電／遮断をそれぞれ逆に切り換えて前記電流検出手段の検出結果を獲得し、該電流検出手段の検出結果に基づいて、前記２つの電力供給手段を用いて前記２つのヒータに対するそれぞれの電力供給量を調整する位相制御を行うことを特徴とする画像形成装置。
【請求項２】
前記電力制御手段は、前記電流検出手段による電流検出時に前記２つのヒータに電力を供給するときには前記位相制御を行わないことを特徴とする請求項１に記載の画像形成装置。
【請求項３】
前記電気加熱手段の温度を検知する手段を有し、
前記電力制御手段は、前記電流検出手段による電流検出時に前記電気加熱手段の温度をモニタし、前記電気加熱手段の温度が一定以上の温度になったときに前記電力供給手段を遮断することを特徴とする請求項１または２に記載の画像形成装置。
【発明の詳細な説明】
【技術分野】
【０００１】
本発明は、電子写真プロセス方式を用いた複写機或いはプリンター等の画像形成装置に関する。
【背景技術】
【０００２】
電子写真プロセス技術を用いて像担持体上に形成したトナー像を記録媒体上に転写し、記録媒体上に転写されたトナー像を定着装置によって加熱定着する画像形成装置は、従来より知られている。
【０００３】
画像形成装置の電源を投入した後、短時間に印刷を行うためには、定着装置の温度を急速に所定の温度以上にしなくてはならないが、定着装置の温度を急速に上昇させるためには、定着装置への供給電流量を多くする必要がある。しかしながら、商用交流電源においては、定格電流以下の電流しか使用することができない。
【０００４】
そこで、従来では、特許文献１等で提案されているように、定着装置に流れる電流を検出する手段を設け、定格電流以下でより多くの電流を定着装置に供給する電力供給制御が行われている。
【０００５】
図１１は、従来の画像形成装置における定着装置の電力供給制御回路を示す回路図である。
【０００６】
この電力供給制御回路は、図１１に示すように、電流検出回路５０３、ＣＰＵ５０４、リレー５０５、第１と第２のトライアック５０６，５０７、及び安全回路５０８を備えている。そして、定着装置の２つのヒータであるメインヒータ５０１ａとサブヒータ５０１ｂに対して、ＡＣ電源５０２から供給される交流電力を制御するものである。
【０００７】
メインヒータ５０１ａと第１のトライアック５０６とが直列接続し、さらにサブヒータ５０１ｂと第２のトライアック５０７とが直列接続し、それらを並列にＡＣ電源５０２に対して接続している。それぞれのトライアック５０６，５０７は、ＣＰＵ５０４からの制御信号でオン／オフ制御される。リレー５０５は、ＡＣ電源５０２との間に挿入されており、リレー５０５の駆動により各ヒータ５０１ａ，５０１ｂの通電を遮断できる構成となっている。
【０００８】
ＣＰＵ５０４はトライアック５０６，５０７のオン／オフを制御し、これによって各ヒータ５０１ａ，５０１ｂへの供給電力を調整する位相制御が行われる。その際、電流検出回路５０３によりメインヒータ５０１ａとサブヒータ５０２ｂに流れる電流値を検出し、検出した電流値を基にして前記供給電力を割り出すことが行われている。
【０００９】
この電流検出時においては、ＣＰＵ５０４からの制御信号によって各トライアック５０６，５０７が同時にオンされて２つのヒータ５０１ａ，５０１ｂに通電する。そして、電流検出回路５０３によりメインヒータ５０１ａとサブヒータ５０２ｂに流れるトータル電流を検出している。
【特許文献１】特開２００６−３４３６９０号公報
【発明の開示】
【発明が解決しようとする課題】
【００１０】
しかしながら、従来の電力供給制御回路では、電流検出時において、２つのヒータ５０１ａ，５０１ｂを同時に通電してトータル電流を検出するため、ヒータ１本あたりに流れる電流値が正確に検出することができない。その結果、ヒータ１本ずつ行う位相制御が精度良く行うことができなかった。
【００１１】
本発明は上記従来の問題点に鑑み、定着装置に用いられるヒータ１本あたりの電流値をより正確に検出し、精度の良い効率的な位相制御を行うことができる画像形成装置を提供することを目的とする。
【課題を解決するための手段】
【００１２】
上記目的を達成するために、本発明は、電子写真プロセス技術を用いて像担持体上に形成したトナー像を記録媒体上に転写し、記録媒体上に転写されたトナー像を２つのヒータからなる電気加熱手段により加熱定着する画像形成装置において、前記２つのヒータに供給する交流電力をそれぞれ通電／遮断する２つの電力供給手段と、前記２つのヒータに流れる電流を検出する電流検出手段と、前記２つの電力供給手段の通電／遮断を制御する電力制御手段とを有し、前記電力制御手段は、前記２つの電力供給手段のうちの一方を通電し他方を遮断して前記電流検出手段の検出結果を獲得した後、前記２つの電力供給手段の通電／遮断をそれぞれ逆に切り換えて前記電流検出手段の検出結果を獲得し、該電流検出手段の検出結果に基づいて、前記２つの電力供給手段を用いて前記２つのヒータに対するそれぞれの電力供給量を調整する位相制御を行うことを特徴とする。
【発明の効果】
【００１３】
本発明によれば、２つのヒータから成る電気加熱手段において、ヒータ１つあたりの電流値を正確に検出することができるので、２つのヒータに対する供給電力の位相制御を、より高い精度で実現することが可能になる。
【発明を実施するための最良の形態】
【００１４】
以下、本発明の実施の形態について、図面を参照しながら説明する。
【００１５】
＜画像形成装置の全体構成＞
図１は、本発明の実施の形態に係る画像形成装置の一例を示す全体構成概略図である。
【００１６】
図１に示す画像形成装置は、４つの画像形成部１０を並列に配し、且つ中間転写方式を採用した電子写真プロセス技術のカラー複写機であり、画像読取部１Ｒと、画像出力部１Ｐとを有する。
【００１７】
画像読取部１Ｒは、原稿画像を光学的に読み取り電気信号に変換して画像出力部１Ｐに送信する。画像出力部１Ｐは、各色の画像形成を実施する４つの画像形成部１０ａ〜１０ｄと、複数の給紙カセットから成る給紙ユニット２０と、中間転写ユニット３０と、画像加熱定着装置としての定着ユニット４０と、制御ユニット８０などを有する。制御ユニット８０は、上記各ユニット内の機構の動作を制御するためのＣＰＵ、レジストレーション補正回路や、モータドライバ部などを有している。
【００１８】
次に、上記カラー複写機の動作について説明する。
【００１９】
このカラー複写機は、電子写真プロセス技術を用いて、像担持体である感光体ドラム１１ａ〜１１ｄ上に形成したトナー像を記録媒体である転写材Ｐ上に転写する。即ち、制御ユニット８０内のＣＰＵにより画像形成動作の開始信号が発せられると、例えば、用紙サイズなどにより選択された給紙カセット２１から給紙動作を開始する。まず、ピックアップローラ２２により、選択されたカセット２１から転写材Ｐが一枚ずつ送り出される。そして、給紙ローラ対２３によって転写材Ｐがレジストローラ２５まで搬送される。その時、レジストローラ２５は停止されており、転写材Ｐの先端はニップ部に突き当たる。その後、画像形成部１０ａ〜１０ｄが画像の形成を開始するタイミングに合わせて、レジストローラ２５は回転を始める。
【００２０】
一方、画像形成部１０ａ〜１０ｄでは、画像形成動作の開始信号が発せられると、まず中間転写ベルト３１の回転方向において一番上流にある感光体ドラム１１ｄ上に形成されたトナー画像を中間転写ベルト３１に一次転写する。その後、感光体ドラム１１ｃ，１１ｂ，１１ａ上に形成されたトナー画像について順次、前画像の上にレジストを合わせて、その次のトナー画像が転写される。結局、４色のトナー画像が中間転写ベルト３１上において一次転写される。
【００２１】
その後、転写材Ｐが二次転写領域Ｔｅに進入し、中間転写ベルト３１に接触すると、転写材Ｐの通過タイミングに合わせて二次転写ローラ３６に高電圧を印加する。これにより、前述したプロセスにより中間転写ベルト３１上に形成された４色のトナー画像が転写材Ｐの表面に転写される。その後、転写材Ｐは定着ユニット４０のニップ部まで正確に案内される。
【００２２】
定着ユニット４０において転写材Ｐはニップ部で挟持搬送され、その搬送過程で熱と圧力によってトナー画像が転写材表面に定着される。定着ユニット４０のニップ部を出た転写材Ｐは排紙トレイ２９上に積載される。
【００２３】
＜制御ユニットの構成＞
図２は、図１に示した制御ユニット８０の構成を示すブロック図である。
【００２４】
本実施の形態における画像形成装置は、全て制御ユニット１００によって統括的にコントロールされる。制御ユニット８０は、本装置内の各負荷の駆動、センサ類の情報収集解析、そして操作部１０２即ちユーザインターフェースとのデータの交換の役割を担っている。
【００２５】
制御ユニット８０の内部構成は、上述した役割を担うために、ＣＰＵ１０１ａを搭載している。ＣＰＵ１０１ａは、同様に制御ユニット８０に搭載したＲＯＭ１０１ｂに格納されたプログラムによって、予め決められた画像形成シーケンスに関連した様々な処理を実行する。またその際、一次的または恒久的に保存することが必要な書き換え可能なデータを格納するために、ＲＡＭ１０１ｃも搭載している。ＲＡＭ１０１ｃには、例えば高圧制御部１０５への高圧設定値や、操作部１０２からの画像形成指令情報など、各種情報を保存する。
【００２６】
操作部１０２は、液晶画面やキーボードから成り、画像形成に関する各種情報をユーザに示すために表示したり、ユーザが指示したりするためのユニットである。
【００２７】
また、本画像形成装置は、装置内部の各所にモータ、クラッチ／ソレノイド等のＤＣ負荷、及びフォトインターラプタやマイクロスイッチ等のセンサを配置している。つまり、モータの駆動や各ＤＣ負荷を適宜駆動させることで、転写材の搬送や各ユニットの駆動を行っており、その動作を監視しているものが各種センサである。
【００２８】
そこで制御ユニット８０は、各種センサ類１１４からの信号を基に、モータ制御部１０７により各モータ１１２をコントロールさせると同時に、ＤＣ負荷制御部１０８により、クラッチ／ソレノイド１１３を動作させて画像形成動作を円滑に進めている。定着回転モータや着脱モータも、このモータ制御部１０７によって制御される。
【００２９】
また、高圧制御部１０５から各種高圧制御信号を高圧ユニット１０６に送出し、高圧ユニット１０６は各種帯電器である一次帯電器、転写帯電器、及び現像器内の現像ローラに適切な高圧を印加させている。
【００３０】
定着ユニット４０には、２つのヒータから成る定着ヒータ１１１（電気加熱手段の一例）が内蔵されており、その各ヒータはＡＣドライバ１１０によってオン／オフ（通電／遮断）制御されている。また定着ユニット４０には、温度を測定するためのサーミスタ１０４が設けられている。そして、Ａ／Ｄ変換器１０３によって、定着ユニット４０の温度変化に応じたサーミスタ１０４の抵抗値変化を電圧値に変換した後、デジタル値として制御ユニット８０に入力される。この温度データを基にＡＣドライバ１１０を制御することになる。
【００３１】
＜定着ユニットの構成＞  
図３は、上記定着ユニット４０の構造を示す模式図である。
【００３２】
図中の２０４は、定着ヒータ固定兼フィルム内面ガイド用の耐熱性、断熱性、剛体ステーであり、記録紙２１０の搬送路を横断する方向（図面に垂直方向）を長手とする横長部材である。１１１は定着ヒータ（セラミックヒータ）であり、上記ステーの下面に長手に沿って形成した溝部に嵌入して耐熱性接着剤で固定支持させた、転写材搬送路を横断する方向を長手とする横長部材である。
【００３３】
２０１は円筒状の耐熱性フィルム材（以下、定着フィルムという）であり、定着ヒータ１１１を取り付けたステー２０４に遊嵌させてある。２０２は加圧ローラであり、芯金２０３の外周にシリコーンゴム等の耐熱性弾性層２０７をローラ状に同心一体に設けた加圧ローラである。この加圧ローラ２０２と、ステー２０４側の定着ヒータ１１１とを定着フィルム２０１を挟ませて加圧ローラ２０２の弾性に抗して圧接させてある。矢印Ｎで示した範囲がその圧接により形成される定着ニップ部である。
【００３４】
加圧ローラ２０２は矢示Ｂの方向に所定の周速度で回転駆動する。この加圧ローラ２０２の回転駆動による、定着ニップ部Ｎにおける加圧ローラ２０２と定着フィルム２０１の外面との摩擦力で定着フィルム２０１に直接的に回転力が作用する。
【００３５】
定着ヒータ１１１の温度が所定に立ち上がった状態において、定着フィルム２０１を挟んで定着ヒータ１１１と加圧ローラ２０２とで形成される定着ニップ部Ｎの定着フィルム２０１と加圧ローラ２０２との間に画像定着すべき記録紙２１０が導入される。すると、定着ヒータ１１１の熱が定着フィルム２０１を介して記録紙２１０上の未定着画像に付与され、記録紙２１０上の未定着画像が記録紙２１０面に定着されるものである。
【００３６】
＜定着ヒータの構造＞
図４は、定着ヒータ１１１の構造を示す上面図である。
【００３７】
定着ヒータ１１１は、記録紙の搬送方向に対して直交する方向に長く配設され、基材３０１の一面側には２つの発熱パターン３０２ａ及び３０２ｂが形成されている。図中の３０３ａ、３０３ｂ、３０３ｃは給電電極であり、発熱パターン３０２ａ，３０２ｂの両端に電圧を印加できるように形成されている。以下、発熱パターン３０２ａで形成されたヒータ部を「メインヒータ３０２ａ」といい、発熱パターン３０２ｂで形成されたヒータ部を「サブヒータ３０２ｂ」という。
【００３８】
メインヒータ３０２ａ及びサブヒータ３０２ｂは、発熱分布が大きく異なる。メインヒータ３０２ａ及びサブヒータ３０２ｂの発熱分布を図５に示す。
【００３９】
図５に示すように、メインヒータ３０２ａは定着ヒータ１１１の中央部で発熱量が大きくなるように形成されており、サブヒータ３０１ｂは端部での発熱量が大きくなるように形成されている。
【００４０】
本実施の形態に係る定着ユニット４０では、定着ヒータ１１１の温度を測定するためのサーミスタを３個有する。各サーミスタは定着ヒータ１１１上に所定の圧力で押し当てられている。図５の例では、サーミスタ１，２，３の配置を矢印Ｅ、Ｆ、Ｇで示す。サーミスタ１は定着ヒータ１１１中央部に配置されている。一方、サーミスタ２、３は端部に配置している。各サーミスタは不図示の温度検出回路に接続されており、各サーミスタの温度検出結果はＣＰＵ１０１ａ及び後述する安全回路に入力されている。
【００４１】
＜定着ヒータに対する電力制御＞
（Ａ）電力制御回路
次に、定着ヒータ１１１に電力を供給する電力制御回路について、図６を参照して説明する。図６は、本実施の形態における定着ヒータに電力を供給する電力制御回路を示す回路図である。
【００４２】
この電力制御回路は、ＣＰＵ１０１ａ、第１と第２のトライアック３１７，３１８、リレー３１５及び３１６、電流検出回路３１３、及び安全回路３１９から構成されている。そして、定着ヒータ１１１を構成する２つのヒータであるメインヒータ３０２ａとサブヒータ３０２ｂをそれぞれ独立して制御する構成となっている。
【００４３】
具体的には、第１のトライアック３１７とメインヒータ３０２ａとが直列接続され、また第２のトライアック３１８とサブヒータ３０２ｂとが直列接続され、それらを並列にＡＣ電源３１２に対して接続されている。第１と第２のトライアック３１７、３１８はそれぞれ、ＣＰＵ１０１ａからの第１と第２のヒータ駆動信号３２３、３２２によりオン／オフ制御される。
【００４４】
リレー３１５及び３１６は、第１と第２のトライアック３１７、３１８とＡＣ電源３１２の間にそれぞれ挿入され、リレー３１５及び３１６の駆動によりメインヒータ３０２ａ及びサブヒータ３０２ｂへの通電が遮断されるようになっている。
【００４５】
リレー３１５及び３１６の制御信号は安全回路３１９に接続されている。電流検出回路３１３は、メインヒータ３０２ａ及びサブヒータ３０２ｂとＡＣ電源３１２の間に挿入されている。電流検出回路３１３では、メインヒータ３０２ａとサブヒータ３０２ｂに流れる電流をそれぞれ別々に検出し、電流値に応じたレベルを示す電流レベル検出信号３２１を出力する。また、電流検出回路３１３は、メインヒータ３０２ａとサブヒータ３０２ｂに流れる電流値を含む画像出力部１Ｐと画像読取部１Ｒに流れる電流値を検出することもできる。
【００４６】
なお、第１と第２のトライアック３１７，３１８、リレー３１５及び３１６、電流検出回路３１３、並びに安全回路３１９によって構成される部分は、図２におけるＡＣドライバ１１０に含まれる。
【００４７】
（Ｂ）電流検出動作
次に、電流検出回路３１３を用いた電流検出動作について、図７を参照して説明する。
【００４８】
図７は、本実施の形態における定着ヒータに対する電力制御に係わる電流検出動作を示すフローチャートである。この電流検出動作は、ＣＰＵ１０１ａがＲＯＭ１０１ｂに格納されるプログラムを読み出して実行することにより実現される。
【００４９】
ＣＰＵ１０１ａは電流検出動作を開始すると、各リレー３１５，３１６をオンする（ステップＳ１１）。定着ヒータ１１１を構成するメインヒータ３０２ａとサブヒータ３０２ｂの各１本ずつの電流値を検出するために、ＣＰＵ１０１ａは、まずトライアック３１７をオンし、トライアック３１８をオフする（ステップＳ１２）。その結果、メインヒータ３０２ａのみに通電され、メインヒータ３０２ａがオン状態となる。その後、メインヒータ３０２ａに流れる電流値が電流検出回路３１３によって検出され（ステップＳ１３）、ＣＰＵ１０１ａへ伝達される。
【００５０】
次にＣＰＵ１０１ａは、先程とは逆に、一方のトライアック３１７をオフし、他方のトライアック３１８をオンする（ステップＳ１４）。その結果、サブヒータ３０２ｂのみに通電を行い、サブヒータ３０２ｂがオン状態となる。その後、サブヒータ３０２ｂに流れる電流値が電流検出回路３１３によって検出され（ステップＳ１５）、ＣＰＵ１０１ａは、この電流値を獲得する。
【００５１】
このようにして、定着ヒータ１１１を構成するメインヒータ３０２ａとサブヒータ３０２ｂの各１本ずつの電流値が検出されてＣＰＵ１０１ａへ伝達されると、ＣＰＵ１０１ａは、トライアック３１７，３１８をそれぞれオフする（ステップＳ１６）。
【００５２】
（Ｃ）定着制御
次に、上記電流検出動作により検出された、メインヒータ３０２ａとサブヒータ３０２ｂの各１本ずつの電流値に基づいて、これら各ヒータへの電力供給量の調整、つまり定着制御を実行する。
【００５３】
図８は、本実施の形態における定着制御を示すフローチャートである。この電流検出動作は、ＣＰＵ１０１ａがＲＯＭ１０１ｂに格納されるプログラムを読み出して実行することにより実現される。
【００５４】
画像形成がスタートすると、ＣＰＵ１０１ａは、各リレー３１５，３１６をオンする（ステップＳ２１）。前述の電流検出動作の結果から、メインヒータ３０２ａとサブヒータ３０２ｂの各１本ずつの正確な電力値を割り出し、トライアック３１７，３１８を制御し位相制御を行う（ステップＳ２２）。即ち、定着ヒータ１１１への電力供給量の調整は、ＡＣ電源の１半波内の位相角で通電のオン／オフを行うことにより前記割り出した電力値になるように各メインヒータ３０２ａとサブヒータ３０２ｂへの供給電力を制御する位相制御によって実現する。
【００５５】
ＣＰＵ１０１ａは、交流電力を供給するＡＣ電源３１２のゼロクロスタイミングを検知するゼロクロス検知回路（不図示）から出力されるゼロクロス信号を用いて制御する。図９は、ゼロクロス信号とヒータ駆動信号の駆動タイミングを示す波形図である。ゼロクロス信号の立下りのタイミングから所定時間ｔ１，ｔ２後にヒータ駆動信号３２３または３２２をオンして、それぞれメインヒータ３０２ａとサブヒータ３０２ｂへの通電を制御する。
【００５６】
その時、電流検出回路３１３によって、メインヒータ３０２ａとサブヒータ３０２ｂにそれぞれ流れる電流値を含む画像出力部１Ｐと画像読取部１Ｒに流れる電流値を検出する（ステップＳ２３）。そして、ＣＰＵ１０１ａは、検出した電流値が定格電流を超えていると判断すると、安全回路３１９に信号を出力し（ステップＳ２５）、各リレー３１５，３１６をオフする（ステップＳ２６）。これによって、各定着ヒータ１１１への通電を遮断する。
【００５７】
なお、上記図７及び図８で説明した電流検出時においては、図１０に示すように、トライアック３１７または３１８をオンしてからそれぞれのヒータ３０２ａまたは３０３ｂに流れる電流が一定になるまでに１５０ｍｓの時間を要する。そこから５０ｍｓ間の電流サンプリング期間（測定期間）を設け、合計２００ｍｓ以下で定着ヒータ１１１への通電を行う。このように電流検出時間を短くすることで、画像形成装置に電源を入れた後、すぐに画像形成を開始する場合への影響を少なくしている。
【００５８】
さらに、電流検出時に２つのヒータ３０２ａまたは３０２ｂへ電力を供給する時は、位相制御を行わないこととする。図９に示すように、位相制御を行うと、ヒータ３０２ａまたは３０２ｂに流れる電流値が一定にはならず、ヒータ３０２ａまたは３０２ｂの電流値を正確に検出することができないためである。
【００５９】
また、電流検出時には、同時に前述した３つのサーミスタが検出する温度をＣＰＵ１０１ａでモニタしながら行っても良い。それにより、２つのヒータ３０２ａ及び３０２ｂが異常加熱した場合に、瞬時に安全回路３１９から２つのリレー３１５、３１６を開放することができる。
【００６０】
また、上記サーミスタが検出する温度が一定以下（例えば８０度以下）の場合に限り電流検出を行い、該一定以上の温度の時は、２つのヒータ３０２ａ及び３０２ｂが、異常加熱した前回の画像形成から交換されていないと判断し、電流検出を行わないこととする。
【００６１】
＜本実施の形態に係る利点＞
本実施の形態によれば、２本のヒータから成る定着ヒータ１１１において、ヒータ１本あたりの電流値を安価な電流検出回路３１３で正確に検出することができる。これにより、２本のヒータ３０２ａ，３０２ｂへの供給電力を制御する位相制御を、より高い精度で実現することが可能になる。
【図面の簡単な説明】
【００６２】
【図１】実施の形態に係る画像形成装置の一例を示す全体構成概略図である。
【図２】図１に示した制御ユニットの構成を示すブロック図である。
【図３】定着ユニットの構造を示す模式図である。
【図４】定着ヒータの構造を示す上面図である。
【図５】メインヒータ及びサブヒータの発熱分布を示す図である。
【図６】実施の形態における定着ヒータに電力を供給する電力制御回路を示す回路図である。
【図７】実施の形態における定着ヒータに対する電力制御に係わる電流検出動作を示すフローチャートである。
【図８】実施の形態における定着制御を示すフローチャートである。
【図９】ゼロクロス信号とヒータ駆動信号の駆動タイミングを示す波形図である。
【図１０】ヒータに流れる電流値を電圧換算した波形図である。
【図１１】従来の画像形成装置における定着装置の電力供給制御回路を示す回路図である。
【符号の説明】
【００６３】
１０１ａ    ＣＰＵ
１０１ｂ  ＲＯＭ
１０１ｃ    ＲＡＭ
１０４  サーミスタ
１１１  定着ヒータ
３０２ａ  メインヒータ
３０２ｂ  サブヒータ
３１２  ＡＣ電源
３１３  電流検出回路
３１５，３１６  リレー
３１７、３１８  トライアック
３１９  安全回路
【図１】
2010113216.tif 000003
【図２】
2010113216.tif 000004
【図３】
2010113216.tif 000005
【図４】
2010113216.tif 000006
【図５】
2010113216.tif 000007
【図６】
2010113216.tif 000008
【図７】
2010113216.tif 000009
【図８】
2010113216.tif 000010
【図９】
2010113216.tif 000011
【図１０】
2010113216.tif 000012
【図１１】
2010113216.tif 000013